(57)【要約】      （修正有）【課題】本人又は家族が外出時に音声とモニター等にて、外出時絶対に持参しなければならない必要品を、本人又は家族が個々に、場合によっては、何ら操作することなく、自動的に必要と思われる本人、又は家族に直接伝達する。【解決手段】内・外玄関あるいは居間等に設置してある送信機チャイム３を押す事で、同時に、又は場合によっては、設置してある場所により、本人は元より、家族にも必要な物を、箇条書きの様な言い回しで、音声又は場合によっては、モニター画面４等を使用する事で、両方でも伝達する事が出来るようにされた外出時忘れ物を防止する送受信機である。【選択図】図２
2017168062.tif 000002
【特許請求の範囲】
【請求項１】
（イ）外出時内・外玄関あるいは居間等に設置してある送信機チャイムを押す事で、同時に、又は場合によっては、設置してある場所により、本人は元より、家族にも必要な物を、箇条書きの様な言い回しで、音声又は場合によっては、モニター画面等を使用する事で、両方でも伝達する事が出来るようにされた外出時忘れ物を防止する送受信機である。
（ロ）音声又は、モニター画面等の受信機と玄関あるいは居間等に設置してある送信機チャイム器具等とは、無線又は有線でも接続可能とすることが可能な忘れ物を防止する送受信機である。
（ハ）外出時忘れ物を防止する送受信機の設置場所、個数等については、限定しない。
（ニ）受信機は音声等によって、本人等に直接知らせる事が出来る仕様となっておりますが、言葉は主に日本語を主眼として、取り込まれているが送受信機等のセットを切り替える事により、他の言語も取り入れ可能な仕様とされた外出時忘れ物を防止する送受信機である。
（ホ）受信機での受信内容は、主に一般的需要（携帯、サイフ、定期、各種書類、鍵、印鑑、傘等又会社で必要な物、資料等）に沿って、スタンダード的な項目を音声のみで、あるいは、音声とビデオ行為で最初から取り込まれた既製品的な製品器具と、一方本人の音声行為の指示で用途、要求に応じて、取り込み内容が音声のみ、あるいは、音声とビデオ行為で取り込みする事が可能なオーダー品的製品器具仕様とすることも出来る仕様とされた外出時忘れ物を防止する送受信機である。
（ヘ）受信機は、送信機チャイム器具での指示をすることにより、受信機にモニター画面を設置することで、耳の不自由な人でも画面文字にて、又耳と目の不自由な人でもモニター画面に点字盤の様な凹凸部を作り出す仕様を設置することで、モニター画面を触手することにより覚知できるようにし、これらが其々に、取り入れ可能な事が出来る仕様とされた外出時忘れ物を防止する送受信機である。
（ト）音声とモニター画面の其々の単独仕様と共用仕様・さらにモニター画面の凹凸部の切り替え等も操作により瞬時に出来る仕様とされた外出時忘れ物を防止する送受信機である。
（チ）送信機は、手動にてチャイムを押すことで、あるいは、受信機に無線リモコン付器具等にて指示するタイプとさらには、送信機に本人又は、家族の音声を設定しておいて、送信機に直接音声で、呼びかける事で、受信機が作動出来る仕様とされた外出時忘れ物を防止する送受信機である。
（リ）受信機に無線リモコン付器具等にて指示する。あるいは、本人又は、家族の音声を設定しておいて、直接受信機に音声で呼びかける事で、受信機が作動出来る仕様と其々に選択可能な仕様とすることが出来る外出時忘れ物を防止する送受信機である。
（ヌ）上記（イ）〜（リ）器具の仕様については、器具の本体の形状、高さ、長さ、大きさ、材料、材質、色彩、厚さ、重量、塗装等の仕様については、限定されない仕様とされた外出時忘れ物を防止する送受信機である。
（ル）器具の音声とモニター画面の切り替えセットボタン、他の言語の切り替えボタン、音声とモニター画面のリピートボタン、音声の構造等について、これらの位置と個数と形状又モニター画面上の点字盤の様な凹凸部の形状、高さ、長さ、大きさ、材質、色彩、厚さ、重量、塗装等の仕様については、限定しないとされた外出時忘れ物を防止する送受信機である。
（ヲ）送受信機の音声の強弱、音声のスピード、音声の時間の長短、音声の男女の音色、音声の音質等その他無線リモコン付器具とモニター画面等の形状等には、限定されない仕様とされた外出時忘れ物を防止する送受信機である。
（ワ）送信機チャイムと受信機は原則として、建物玄関の内側での操作により機能を発揮するが、建物玄関の外側での操作も可能であり、建物内外でも自由に操作できる仕様とするが、この設定切り替えも出来る仕様とされた外出時忘れ物を防止する送受信機である。
（カ）この時建物玄関の内と外での送受信機は、同調されて稼働する仕様とすることも又其々に内と外とで設定切り替え出来る事が可能な仕様とされた外出時忘れ物を防止する送受信機である。
（ヨ）建物内外での送受信機又は無線リモコン付器具の稼働電源は、電池式（乾電池、ボタン電池）、充電式、太陽光充電でも使用可能な方式・仕様とする。
又外・内其々に電源等設定切り替え出来る仕様とされた外出時忘れ物を防止する送受信機である。
（タ）建物内外での受信機は、機内にタイマーセット出来る仕様とすることで、自
由に調整出来る仕様とされた外出時忘れ物を防止する送受信機である。
（レ）外玄関の照明時間の点滅等も調整又無線リモコン付器具は暗がりでもボタン等押すことにより、其々照明ランプあかり等が点灯される仕様とされた外出時忘れ物を防止する送受信機である。この構造等の方式、稼働電源等を含めこの照明ランプの形状、個数、照度、高さ、長さ、大きさ、材質、色彩、厚さ、重量、塗装等の仕様については、限定しない。
（ソ）監視用カメラと連動させることにより、本人又は、家族を其々判別認識して、必要な物を、音声又は場合によっては、モニター画面等で伝達する事が出来る仕様とされた外出時忘れ物を防止する送受信機である。
【発明の詳細な説明】
【技術分野】
【０００１】この発明は、外出時絶対に持参しなければならない物すなわち忘れ物を防止する為に、つくられた器具であります。
【背景技術】
【０００２】従来の物忘れ防止器具について、離れるとアラーム、置き忘れ防止アラーム、鍵のカケ忘れアラーム、鍵・携帯・リモコンあれ〜何処、玄関鍵施錠時音声発生器等用途に応じて千差万別数多くありました。
【発明が解決しようとする課題】
【０００３】これは次のような欠点があった。
例えば、既存の鍵忘れ防止器具について、個々の其々の用途に応じては、充分に満たしておりましたが、音声とモニターにて、又玄関鍵を持参・施錠することなく、必要に応じて、音声だけであっても、本人又は家族が個々に、場合によっては、何ら操作することなく、外出時絶対に持参しなければならない品物が自動的に必要と思われる本人又は家族に、直接伝達する器具はありませんでした。本発明は、これらの欠点を無くす為に、本人又は家族が外出時に音声とモニターにて、外出時絶対に持参しなければならない必要品を、本人又は家族が個々に、場合によっては、何ら操作することなく、自動的に必要と思われる本人又は家族に直接伝達する器具として、対応し、なされた器具である。
【課題を解決する為の手段】
【０００４】送信機、受信機を建物内又は外あるいは、双方に、其々用途に応じて、単独で、又は、両方を設置して対応する仕様とする。又手動か自動か、音声か、無線か、有線か、監視カメラ採用か、モニター採用か更にモニター画面上の点字盤等を採用するか等どの方式を採用するかは、個々の用途、操作性、使用方法、予算等により、其々に課題を解決する選択肢は、請求項の（イ）〜（ヌ）に明示して有り、これらの請求項を単独であるいは、組み合わせて、採用する事により目的は、達成されます。
【発明の効果】
【０００５】既存の其々の物忘れ防止器具に比べて、本人が自動又手動にて、本人自身又は家族が外出時必要と思われる色々な必要品等が直接又は家族に音声とモニター等にて、伝達する事が出来た為に、殆ど忘れ物をしないで済むようになった。
【発明を実地する為の最良の形態】
【０００６】以下。本発明を実地する為の最良の形態について説明する。
送信機、受信機両方又は単独で、建物内又は外あるいは、双方に、其々用途に応じて、其々設置して対応する仕様とする。一概にこの方法が最良とは、決めつける事が不可能です。それは、個人用なのかあるいは、家族の為に必要とされるのか、その要求の範囲は、何処までのレベルを必要としているのか等々。
それらによって、最良のありさまは、違ってきます。例えば、送信機、受信機が手動か自動方式か、又音声使用か、無線か、有線方式か、監視カメラ採用か、モニター採用か更にモニター画面上の点字盤等を必要とするか等どの方式を採用するかは、個々の用途、操作性、使用方法、要求項目等、予算等により、其々に異なってきますが、発明を実地する為の最良の形態の選択肢は、請求項の（イ）〜（ヌ）に明示して有り、これらの請求項を単独であるいは、組み合わせて、採用する事により最良の形態は、達成されます。これにより初めて発明の機能を実地する事が可能であり、これが最良の形態である。
【図面の簡単な説明】
【０００７】
【図１】本発明の平面図と立面図、側面図である。
【図２】本発明のあいそめ図である。
【符号の説明】
【０００８】１    送信機
２    受信機
３    送信機チャイム
４    受信機モニター
５    リモコン付器具
６    音声とモニターの切り替えボタン
７    音声又はモニターのリピートボタン
８    言語切り替えボタン
９    受信の機能
１０  音声の機能
１１  無線リモコン付器具の起動ボタン
１２  無線リモコン付器具のロックボタン
１３  モニター面の凹凸切り替えボタン
１４  無線リモコン付器具照明ランプ
１５  送受信機のタイマーセット
１６  監視カメラ
１７  照明機能
【図１】
2017168062.tif 000003
【図２】
2017168062.tif 000004